(57)【特許請求の範囲】
【請求項１】
所定ビット数のデータシンボルをより多いビット数のコードシンボルに変換することによってランレングスが制約された記録データを生成するディジタル変調方式を使用してディジタルデータが記録されているデータ記録媒体であって、
上記ランレングスが制約された状態では正常なデータの再生を妨げるおそれを生じさせるほどＤＳＶを増加させ、且つ、再生された際に低い振幅レベルを示すデータを構成するデータパターンが所定位置に記録されることを特徴とするデータ記録媒体。
【請求項２】
請求項１に記載のデータ記録媒体において、
上記振幅レベルは、オーディオデータのレベルであることを特徴とするデータ記録媒体。
【請求項３】
請求項１に記載のデータ記録媒体において、
上記低い振幅レベルを示すデータは、バイト単位で記録され、バイト単位の上位側の上位ニブルが２’コンプリメント表記で「０ｈ」または「Ｆｈ」であることを特徴とするデータ記録媒体。
【請求項４】
請求項３に記載のデータ記録媒体において、
上記低い振幅レベルを示すデータを構成するデータパターンは、「ＦＡｈ」からなることを特徴とするデータ記録媒体。
【請求項５】
請求項３に記載のデータ記録媒体において、
上記低い振幅レベルを示すデータを構成するデータパターンは、「ＦＢｈ」からなることを特徴とするデータ記録媒体。
【請求項６】
請求項３に記載のデータ記録媒体において、
上記低い振幅レベルを示すデータは、「ＦＡＦＢｈ」であることを特徴とするデータ記録媒体。
【請求項７】
請求項３に記載のデータ記録媒体において、
上記低い振幅レベルを示すデータは、「ＦＦ０１ｈ」であることを特徴とするデータ記録媒体。
【請求項８】
請求項３に記載のデータ記録媒体において、
上記低い振幅レベルを示すデータは、「００３０ｈ」であることを特徴とするデータ記録媒体。
【請求項９】
請求項３に記載のデータ記録媒体において、
上記低い振幅レベルを示すデータは、「００９Ｅｈ」であることを特徴とするデータ記録媒体。
【請求項１０】
請求項１に記載のデータ記録媒体において、
上記データは、ＥＦＭにより変調されることを特徴とするデータ記録媒体。
【請求項１１】
請求項１に記載のデータ記録媒体において、
上記データは、ＥＦＭｐｌｕｓにより変調されることを特徴とするデータ記録媒体。
【請求項１２】
請求項１に記載のデータ記録媒体において、
コードシンボル同士の境界に複数ビットの接続ビットが配され、上記接続ビットとして複数のビットパターンを持つものが用意され、
上記データ内の上記接続ビットが、上記ＤＳＶを増加させないように、ランレングスの制約条件を緩めた状態で選択されて記録されることを特徴とするデータ記録媒体。
【請求項１３】
所定ビット数のデータシンボルをより多いビット数のコードシンボルに変換することによってランレングスが制約された記録データを生成するディジタル変調方式を使用して記録媒体にディジタルデータを記録するデータ記録方法であって、
上記ランレングスが制約された状態では正常なデータの再生を妨げるおそれを生じさせるほどＤＳＶを増加させ、且つ、再生された際に低い振幅レベルを示すデータを構成するデータパターンが記録媒体の所定位置に記録されることを特徴とするデータ記録方法。
【請求項１４】
請求項１３に記載のデータ記録方法において、
上記振幅レベルは、オーディオデータのレベルであることを特徴とするデータ記録方法。
【請求項１５】
請求項１３に記載のデータ記録方法において、
上記低い振幅レベルを示すデータは、バイト単位で記録され、バイト単位の上位側の上位ニブルが２’コンプリメント表記で「０ｈ」または「Ｆｈ」であることを特徴とするデータ記録方法。
【請求項１６】
請求項１５に記載のデータ記録方法において、
上記低い振幅レベルを示すデータを構成するデータパターンは、「ＦＡｈ」からなることを特徴とするデータ記録方法。
【請求項１７】
請求項１５に記載のデータ記録方法において、
上記低い振幅レベルを示すデータを構成するデータパターンは、「ＦＢｈ」からなることを特徴とするデータ記録方法。
【請求項１８】
請求項１５に記載のデータ記録方法において、
上記低い振幅レベルを示すデータは、「ＦＡＦＢｈ」であることを特徴とするデータ記録方法。
【請求項１９】
請求項１５に記載のデータ記録方法において、
上記低い振幅レベルを示すデータは、「ＦＦ０１ｈ」であることを特徴とするデータ記録方法。
【請求項２０】
請求項１５に記載のデータ記録方法において、
上記低い振幅レベルを示すデータは、「００３０ｈ」であることを特徴とするデータ記録方法。
【請求項２１】
請求項１５に記載のデータ記録方法において、
上記低い振幅レベルを示すデータは、「００９Ｅｈ」であることを特徴とするデータ記録方法。
【請求項２２】
請求項１３に記載のデータ記録方法において、
上記データは、ＥＦＭにより変調されることを特徴とするデータ記録方法。
【請求項２３】
請求項１３に記載のデータ記録方法において、
上記データは、ＥＦＭｐｌｕｓにより変調されることを特徴とするデータ記録方法。
【請求項２４】
請求項１３に記載のデータ記録方法において、
コードシンボル同士の境界に複数ビットの接続ビットが配され、上記接続ビットとして複数のビットパターンを持つものが用意され、
上記データ内の上記接続ビットが、上記ＤＳＶを増加させないように、ランレングスの制約条件を緩めた状態で選択されて記録されることを特徴とするデータ記録方法。
【請求項２５】
所定ビット数のデータシンボルをより多いビット数のコードシンボルに変換することによってランレングスが制約された記録データを生成するディジタル変調方式を使用して記録媒体にディジタルデータを記録するデータ記録装置であって、
上記ランレングスが制約された状態では正常なデータの再生を妨げるおそれを生じさせるほどＤＳＶを増加させ、且つ、再生された際に低い振幅レベルを示すデータを構成するデータパターンが記録媒体の所定位置に記録されることを特徴とするデータ記録装置。
【請求項２６】
請求項２５に記載のデータ記録装置において、
上記振幅レベルは、オーディオデータのレベルであることを特徴とするデータ記録装置。
【請求項２７】
請求項２５に記載のデータ記録装置において、
上記低い振幅レベルを示すデータは、バイト単位で記録され、バイト単位の上位側の上位ニブルが２’コンプリメント表記で「０ｈ」または「Ｆｈ」であることを特徴とするデータ記録装置。
【請求項２８】
請求項２７に記載のデータ記録装置において、
上記低い振幅レベルを示すデータを構成するデータパターンは、「ＦＡｈ」からなることを特徴とするデータ記録装置。
【請求項２９】
請求項２７に記載のデータ記録装置において、
上記低い振幅レベルを示すデータを構成するデータパターンは、「ＦＢｈ」からなることを特徴とするデータ記録装置。
【請求項３０】
請求項２７に記載のデータ記録装置において、
上記低い振幅レベルを示すデータは、「ＦＡＦＢｈ」であることを特徴とするデータ記録装置。
【請求項３１】
請求項２７に記載のデータ記録装置において、
上記低い振幅レベルを示すデータは、「ＦＦ０１ｈ」であることを特徴とするデータ記録装置。
【請求項３２】
請求項２７に記載のデータ記録装置において、
上記低い振幅レベルを示すデータは、「００３０ｈ」であることを特徴とするデータ記録装置。
【請求項３３】
請求項２７に記載のデータ記録装置において、
上記低い振幅レベルを示すデータは、「００９Ｅｈ」であることを特徴とするデータ記録装置。
【請求項３４】
請求項２５に記載のデータ記録装置において、
上記データは、ＥＦＭにより変調されることを特徴とするデータ記録装置。
【請求項３５】
請求項２５に記載のデータ記録装置において、
上記データは、ＥＦＭｐｌｕｓにより変調されることを特徴とするデータ記録装置。
【請求項３６】
請求項２３に記載のデータ記録装置において、
コードシンボル同士の境界に複数ビットの接続ビットが配され、上記接続ビットとして複数のビットパターンを持つものが用意され、
上記データ内の上記接続ビットが、上記ＤＳＶを増加させないように、ランレングスの制約条件を緩めた状態で選択されて記録されることを特徴とするデータ記録装置。
【発明の詳細な説明】
【０００１】
【発明の属する技術分野】
この発明は、例えば読み出し専用（ＲＯＭ）タイプの光ディスクに対して適用されるデータ記録媒体、データ記録方法および装置に関する。
【０００２】
【従来の技術】
ＣＤ（Compact Disc )やＣＤ−ＲＯＭ(Compact Disc Read Only Memory) 等の光ディスクは、取り扱いが容易で、製造コストも比較的安価なことから、データを保存しておくための記録媒体として、広く普及している。また、近年、データを追記録可能なＣＤ−Ｒ（Compact Disc Recordable)ディスクや、データの再記録が可能なＣＤ−ＲＷ（Compact Disc ReWritable)ディスクが登場してきており、このような光ディスクにデータを記録することも簡単に行えるようになってきてきる。このことから、ＣＤ−ＤＡディスクや、ＣＤ−ＲＯＭディスク、ＣＤ−Ｒディスク、ＣＤ−ＲＷディスク等、ＣＤ規格に準拠した光ディスクは、データ記録媒体の中核となってきている。更に、近年、ＭＰ３(MPEG1 Audio Layer-3 )やＡＴＲＡＣ（Adaptive TRansform Acoustic Coding) ３でオーディオデータを圧縮して、ＣＤ−ＲＯＭディスクやＣＤ−Ｒディスク、ＣＤ−ＲＷディスク等に記録することが行われている。
【０００３】
ところが、ＣＤ−ＲディスクやＣＤ−ＲＷ（Compact Disc ReWritable)ディスクの登場により、ＣＤのディスクに記録されているデータは簡単にコピーできるようになってきている。このため、著作権の保護の問題が生じてきており、ＣＤのディスクにコンテンツデータを記録する際に、コンテンツデータを保護するための対策を講じる必要性がある。
【０００４】
図１７は、コピーの流れを概略的に示すものである。参照符号４１で示す再生装置によって、オリジナルのディスク例えばＣＤ４２を再生する。参照符号４３が光ピックアップであり、参照符号４４が再生信号処理部である。そして、再生装置４１からの再生データを記録装置５１の記録処理部５２に供給し、光ピックアップ５３によって光ディスク例えばＣＤ−Ｒ５４に対して記録する。ＣＤ−Ｒ５４には、オリジナルのＣＤ４２の記録内容がコピーされる。このように再生装置４１と記録装置５１とを使用して容易にオリジナルのＣＤ４２のコピーディスクが作成できる。
【０００５】
ＣＤの場合では、再生処理部４４は、図１８に示すように、入力端子４５からの再生信号からシンク検出部４６によってフレームシンクを検出し、ＥＦＭ復調器４７によってＥＦＭ（eight to fourteen modulation)の復調を行い、さらに、ＥＦＭ復調された再生データがＣＩＲＣ（Cross Interleave Reed-Solomon Code）デコーダ４８に供給され、ＣＩＲＣデコーダ４８において、エラー訂正がなれる。ＥＦＭでは、各シンボル（８データビット）が１４チャンネルビットへ変換され、１４チャンネルビット同士の間に３ビットの接続ビットが追加される。また、サブコードデコーダ４９によって再生データ中のサブコードが復号され、再生サブコードが得られる。
【０００６】
図１９は、記録処理部５２の概略的構成を示す。記録すべきデータが入力端子５５からＣＩＲＣエンコーダ５６に供給され、ＣＩＲＣの符号化の処理を受ける。また、サブコードが入力端子５７からサブコードエンコーダ５８に供給され、サブコードのフォーマットに変換される。ＣＩＲＣエンコーダ５６の出力およびサブコードエンコーダ５８の出力がマルチプレクサ６０に供給される。マルチプレクサ６０には、さらに、入力端子５９からフレームシンクが供給される。マルチプレクサ６０によってこれらのデータが所定の順序で配列され、マルチプレクサ６０の出力がＥＦＭ変調器６１に供給され、ＥＦＭ変調の処理を受ける。
【０００７】
ＣＤのディスクに記録されているコンテンツデータを保護するための一つの方法は、オリジナルのＣＤであるか、オリジナルのＣＤからコピーされたディスクであるかを判別することである。例えばオリジナルのＣＤの場合であれば、コピーが許可されるのに対して、コピーされたディスクの場合では、さらなるコピーを禁止することが可能である。
【０００８】
【発明が解決しようとする課題】
オリジナルかコピーかの判別のために、原盤製作時に欠陥を挿入しておき、オリジナルディスクの再生時にその欠陥を検出してオリジナルと判定する方法が提案されている。しかしながら、この方法は、オリジナルディスクに欠陥が含まれてしまう問題がある。また、欠陥の種類によっては、そのままコピーが可能で、ＣＤ−Ｒへの複製を防げない問題があった。
【０００９】
したがって、この発明の目的は、意図的に欠陥を挿入せずに、オリジナルかコピーかの判別が可能で、コピー防止に寄与できるデータ記録媒体、データ記録方法および装置を提供することにある。
【００１０】
【課題を解決するための手段】
この発明は、上述した課題を解決するために、所定ビット数のデータシンボルをより多いビット数のコードシンボルに変換することによってランレングスが制約された記録データを生成するディジタル変調方式を使用してディジタルデータが記録されているデータ記録媒体であって、ランレングスが制約された状態では正常なデータの再生を妨げるおそれを生じさせるほどＤＳＶを増加させ、且つ、再生された際に低い振幅レベルを示すデータを構成するデータパターンが所定位置に記録されることを特徴とするデータ記録媒体である。
【００１１】
また、この発明は、所定ビット数のデータシンボルをより多いビット数のコードシンボルに変換することによってランレングスが制約された記録データを生成するディジタル変調方式を使用して記録媒体にディジタルデータを記録するデータ記録方法であって、ランレングスが制約された状態では正常なデータの再生を妨げるおそれを生じさせるほどＤＳＶを増加させ、且つ、再生された際に低い振幅レベルを示すデータを構成するデータパターンが記録媒体の所定位置に記録されることを特徴とするデータ記録方法である。
【００１２】
また、この発明は、所定ビット数のデータシンボルをより多いビット数のコードシンボルに変換することによってランレングスが制約された記録データを生成するディジタル変調方式を使用して記録媒体にディジタルデータを記録するデータ記録装置であって、ランレングスが制約された状態では正常なデータの再生を妨げるおそれを生じさせるほどＤＳＶを増加させ、且つ、再生された際に低い振幅レベルを示すデータを構成するデータパターンが記録媒体の所定位置に記録されることを特徴とするデータ記録装置である。
【００１３】
上述したように、この発明は、ランレングスが制約された状態では正常なデータの再生を妨げるおそれを生じさせるほどＤＳＶを増加させ、且つ、再生された際に低い振幅レベルを示すデータを構成するデータパターンが所定位置に記録されるため、このような記録媒体を複製しても複製された記録媒体は再生時にＤＳＶが増加され正常なデータの再生が妨げられる。
【００１４】
【発明の実施の形態】
以下、この発明の一実施形態について説明する。この発明は、オーディオ信号としてレベルの低いデータを構成する特定のデータパターンを持ち、且つ、そのデータパターン部分で、ＤＳＶ(Digital Sum Variation)の累積値が通常のエンコーダでエンコードすると一定範囲を超え、特殊なエンコーダでエンコードすると一定範囲内となるような信号が記録されたコンパクトディスクなどの記録媒体を提供する。
【００１５】
特定のデータパターンをオーディオ信号に付加してＥＦＭを行う際に、特殊なエンコーダによりＤＳＶの累積値が一定範囲内に収まるように変調された記録信号として出力して、ディスクを製作する。リニアＰＣＭ(Pulse Code modulation)で変調されたディジタルオーディオ信号の場合には、１６ビットデータがバイト単位で２’ｓコンプリメント（２の補数）により表現されて記録されるため、上位側バイトの上位ニブルが「０ｈ」または「Ｆｈ」（ｈは、１６進表記であることを示す）で、オーディオ信号としてレベルの低いデータとされる。
【００１６】
この発明では、当該記録信号を、例えば上述の上位ニブルが「０ｈ」または「Ｆｈ」であるような、オーディオ信号としてレベルの低いデータから選択する。これにより、当該記録信号により製作されたＣＤを通常のＣＤ再生装置で再生した際に、当該記録信号が大音量のノイズとして再生されることを防いでいる。
【００１７】
図１は、この発明によるデータ記録媒体を作成するためのマスタリング装置の構成の一例を示す。マスタリング装置は、例えばＡｒイオンレーザ、Ｈｅ−ＣｄレーザやＫｒイオンレーザ等のガスレーザや半導体レーザであるレーザ１と、このレーザ１から出射されたレーザ光を変調する音響光学効果型または電気光学型の光変調器２と、この光変調器２を通過したレーザ光を集光し、感光物質であるフォトレジストが塗布されたディスク状のガラス原盤４のフォトレジスト面に照射する対物レンズ等を有する記録手段である光ピックアップ３を有する。
【００１８】
光変調器２は、記録信号にしたがって、レーザ１からのレーザ光を変調する。そして、マスタリング装置は、この変調されたレーザ光をガラス原盤４に照射することによって、データが記録されたマスタを作成する。また、光ピックアップ３をガラス原盤４との距離が一定に保つように制御したり、トラッキングを制御したり、スピンドルモータ５の回転駆動動作を制御するためのサーボ部（図示せず）が設けられている。ガラス原盤４がスピンドルモータ５によって回転駆動される。
【００１９】
光変調器２には、ＥＦＭ変調器１２からの記録信号が供給される。入力端子７からは、記録するメインのディジタルデータが供給される。メインのディジタルデータは、例えば２チャンネルステレオのディジタルオーディオデータである。また、入力端子８から、特殊データ、すなわち、上述した特定のデータパターンを有するデータが供給される。さらに、入力端子６からは、現行のＣＤ規格に基づいたチャンネルＰ〜Ｗのサブコードが供給される。
【００２０】
メインディジタルデータおよび特殊データは、後述するエリア制御部１５による制御に基づきスイッチ回路１６で所定のタイミングで切り換えられて、ＣＩＲＣ（Cross Interleave Reed-Solomon Code）エンコーダ９に供給される。ＣＩＲＣエンコーダ９では、供給されたデータに対して、エラー訂正用のパリティデータ等を付加するエラー訂正符号化処理やスクランブル処理が施される。すなわち、１サンプルあるいは１ワードの１６ビットが上位８ビットと下位８ビットとに分割されてそれぞれシンボルとされ、このシンボル単位で、例えばＣＩＲＣによるエラー訂正用のパリティデータ等を付加するエラー訂正符号化処理やスクランブル処理が施される。入力端子６からのサブコードがサブコードエンコーダ１０にてサブコードのＥＦＭフレームフォーマットを有するサブコードに変換される。
【００２１】
ＣＩＲＣエンコーダ９の出力、サブコードエンコーダ１０の出力がマルチプレクサ１１に供給される。マルチプレクサ１１に供給されたこれらの信号は、所定の順序に配列され、出力される。マルチプレクサ１１の出力データがＥＦＭ変調器１２に供給され、変換テーブルに従って８ビットのシンボルが１４チャンネルビットのデータシンボルへ変換される。さらに、変換されたデータは、同期信号付加回路１４から供給されたフレームシンク信号が所定のタイミングで付加されて、ＥＦＭ変調器１２から出力される。
【００２２】
ＥＦＭ変調器１２では、１４チャンネルビットに変換されたデータシンボルのＤＳＶが検出され、ＤＳＶ制御回路１３に供給される。ＤＳＶ制御回路１３では、供給されたＤＳＶの検出結果に基づきデータシンボルとデータシンボルとを接続する３ビットの接続ビットが選択される。ＥＦＭ変調器１２では、この選択結果に基づき、データシンボルに対して３ビットの接続ビットが追加される。
【００２３】
なお、ＤＳＶは、ＥＦＭ後のハイレベル側のチャンネルクロックの周期分を＋１、ローレベル側のチャンネルクロックの周期分を−１として加算した値である。また、以下では、ＤＳＶの累積値が絶対値的に増加することをＤＳＶの増加とし、ＤＳＶが０に近づくことをＤＳＶの減少とする。
【００２４】
接続ビットは、「０００」、「００１」、「０１０」および「１００」の４種類あり、コンパクトディスクの規格に従い接続ビットの挿入後に３Ｔ未満のパターンや、１１Ｔよりも大きなパターンが出現しないようにされると共に、ＤＳＶが収束するように、接続ビットの選択が制御される。
【００２５】
なお、エリア制御回路１５は、入力端子８から供給された特殊データがＥＦＭされた信号がディスク上の所定の領域に記録されるように、スイッチ回路１６の切り換えを制御する。このとき、エリア制御回路１５とＤＳＶ制御回路１３とが連動され、ＤＳＶ制御回路１３により、エリア制御回路１５のスイッチ回路１６の切り換え制御により供給された特殊データがＥＦＭされた信号に対する上述した接続ビットの選択条件を緩めるように、接続ビットの選択が制御される。
【００２６】
ＥＦＭ変調１２からＣＤのＥＦＭフレームフォーマットの記録信号が発生する。この記録信号が光変調器２に供給され、光変調器２からの変調されたレーザビームによってガラス原盤４上のフォトレジストが露光される。このように記録がなされたガラス原盤４を現像し、電鋳処理することによってメタルマスタを作成し、次に、メタルマスタからマザーディスクが作成され、さらに次に、マザーディスクからスタンパが作成される。スタンパーを使用して、圧縮成形、射出成形等の方法によって、光ディスクが作成される。
【００２７】
図２は、ＣＤの１ＥＦＭフレームのデータ構成を示す。ＣＤでは、２チャンネルのディジタルオーディオデータ合計１２サンプル（２４シンボル）から各４シンボルのパリティＱおよびパリティＰが形成される。この合計３２シンボルに対してサブコードの１シンボルを加えた３３シンボル（２６４データビット）をひとかたまりとして扱う。つまり、ＥＦＭ変調後の１フレーム内に、１シンボルのサブコードと、２４シンボルのデータと、４シンボルのＱパリティと、４シンボルのＰパリティとからなる３３シンボルが含まれる。
【００２８】
ＥＦＭ変調方式（eight to fourteen modulation: ＥＦＭ）では、各シンボル（８データビット）が１４チャンネルビットへ変換される。ＥＦＭ変調の最小時間幅（記録信号の１と１との間の０の数が最小となる時間幅）Ｔmin が３Ｔであり、３Ｔに相当するピット長が０．８７μm となる。Ｔに相当するピット長が最短ピット長である。また、各１４チャンネルビットの間には、３ビットの接続ビットが配される。さらに、フレームの先頭にフレームシンクパターンが付加される。フレームシンクパターンは、チャンネルビットの周期をＴとする時に、１１Ｔ、１１Ｔおよび２Ｔが連続するパターンとされている。このようなパターンは、ＥＦＭ変調規則では生じることがないもので、特異なパターンによってフレームシンクを検出可能としている。１ＥＦＭフレームは、総ビット数が５８８チャンネルビットからなるものである。フレーム周波数は、７．３５ｋHzとされている。
【００２９】
このようなＥＦＭフレームを９８個集めたものは、サブコードフレーム（またはサブコードブロック）と称される。９８個のフレームを縦方向に連続するように並べ換えて表したサブコードフレームは、サブコードフレームの先頭を識別するためのフレーム同期部と、サブコード部と、データおよびパリティ部とからなる。なお、このサブコードフレームは、通常のＣＤの再生時間の１／７５秒に相当する。
【００３０】
図３は、サブコード部のデータ構成を示す。サブコード部は、９８個のＥＦＭフレームから形成される。サブコード部における先頭の２フレームは、それぞれ、サブコードフレームの同期パターンであるとともに、ＥＦＭのアウトオブルール（out of rule)のパターンである。また、サブコード部における各ビットは、それぞれ、Ｐ，Ｑ，Ｒ，Ｓ，Ｔ，Ｕ，Ｖ，Ｗチャンネルを構成する。
【００３１】
ＲチャンネルないしＷチャンネルは、例えば静止画やいわゆるカラオケの文字表示等の特殊な用途に用いられるものである。また、ＰチャンネルおよびＱチャンネルは、ディスクに記録されているディジタルデータの再生時におけるピックアップのトラック位置制御動作に用いられるものである。
【００３２】
Ｐチャンネルは、ディスク内周部に位置するいわゆるリードインエリアでは、"0" の信号を、ディスクの外周部に位置するいわゆるリードアウトエリアでは、所定の周期で"0" と"1" とを繰り返す信号を記録するのに用いられる。また、Ｐチャンネルは、ディスクのリードイン領域とリードアウト領域との間に位置するプログラム領域では、各曲の間を"1"、それ以外を"0"という信号を記録するのに用いられる。このようなＰチャンネルは、ＣＤに記録されているディジタルオーディオデータの再生時における各曲の頭出しのために設けられるものである。
【００３３】
Ｑチャンネルは、ＣＤに記録されているディジタルオーディオデータの再生時におけるより精細な制御を可能とするために設けられる。Ｑチャンネルの１サブコードフレームの構造は、同期ビット部と、コントロールビット部と、アドレスビット部と、データビット部と、ＣＲＣビット部とにより構成される。
【００３４】
図４は、上述したマスタリングおよびスタンピングによって作成された光ディスクを再生する再生装置の構成の一例を示す。再生装置は、既存のプレーヤ、ドライブと同一の構成であるが、この発明の理解の参考のために以下に説明する。図４において、上述したマスタリング、スタンピングの工程で作成されたディスク２１がスピンドルモータ２２により回転駆動され、ディスク２１に記録された信号が光ピックアップ２３により再生される。光ピックアップ２３は、レーザ光をディスク２１に照射する半導体レーザ、対物レンズ等の光学系、ディスク２１からの戻り光を受光するディテクタ、フォーカスおよびトラッキング機構等からなる。さらに、光ピックアップ２３は、スレッド機構（図示しない）によって、ディスク２１の径方向に送られる。
【００３５】
光ピックアップ２３の例えば４分割ディテクタからの出力信号がＲＦ部２４に供給される。ＲＦ部２４は、４分割ディテクタの各ディテクタの出力信号を演算することによって、再生（ＲＦ）信号、フォーカスエラー信号、トラッキングエラー信号を生成する。再生信号がシンク検出部２５に供給される。シンク検出部２５は、各ＥＦＭフレームの先頭に付加されているフレームシンクを検出する。検出されたフレームシンク、フォーカスエラー信号、トラッキングエラー信号がサーボ部２６に供給される。サーボ部２６は、ＲＦ信号の再生クロックに基づいてスピンドルモータ２２の回転動作を制御したり、光ピックアップ２３のフォーカスサーボ、トラッキングサーボを制御する。
【００３６】
フレームシンク検出部２５から出力されるメインデータがＥＦＭ復調器２７に供給され、ＥＦＭ復調の処理を受ける。ＥＦＭ復調器２７からのメインディジタルデータは、ＣＩＲＣデコーダ２８に供給され、エラー訂正の処理を受ける。さらに、補間回路２９によって補間され、出力端子３０に再生データとして取り出される。ＥＦＭ復調器２７からのサブコードデータがシステムコントローラ３２に供給される。
【００３７】
システムコントローラ３２は、マイクロコンピュータによって構成されており、再生装置全体の動作を制御する。システムコントローラ３２と関連して、操作ボタンおよび表示部３３が設けられている。システムコントローラ３２は、ディジタル２１の所望の位置にアクセスするために、サーボ部２６を制御するようになされている。
【００３８】
図５〜図１０は、ＥＦＭ変調器１２における８ビットのデータビット（適宜データシンボルと称する）を１４ビットのチャンネルビット（適宜コードシンボルと称する）へ変換する規則を示す変換テーブルを示す。図５〜図１０では、データビットが１６進表記（００ｈ〜ＦＦｈ）と、１０進表記（０〜２５５）と、２進表記とで示されている。また、コードシンボルの１４ビット中の"1" は、値が反転する位置を示している。データシンボルが８ビットであるので、２５６通りのコードシンボルのパターンが存在する。１４ビットのコードシンボルの全ては、最小時間幅（記録信号の１と１との間の０の数が最小となる時間幅）Ｔminが３Ｔであり、最大時間幅（記録信号の１と１との間の０の数が最大となる時間幅）Ｔmaxが１１ＴであるＥＦＭの規則（以下、適宜ランレングスリミット条件と呼ぶ）を満たしている。
【００３９】
１４ビットのコードシンボル同士を接続する場合でも、上述したＴmin＝３Ｔ、Ｔmax＝１１Ｔのランレングスリミット条件を満たすために接続ビットが必要とされる。接続ビットとして、「０００」、「００１」，「０１０」，「１００」の４種類のパターンが用意されている。１４ビット同士の接続のために接続ビットが使用される一例について、図１１を参照して説明する。なお、以下の例は、「コンパクトディスク読本（改定３版）」（平成１３年３月２５日、オーム社発行）に記載されているものである。
【００４０】
図１１Ａに示すように、前の１４ビットのパターンが「０１０」で終わり、次のデータシンボルが「０１１１０１１１」（１６進表記では、７７ｈ、１０進表記では、１１９）の場合を考える。このデータシンボルは、１４ビットのパターン「００１０００１０００００１０」に変換される。タイミングｔ0で前の１４ビットのパターンが終わり、接続ビットの間隔の後のタイミングｔ1で次の１４ビットのパターンが始まり、タイミングｔ2 で次の１４ビットのパターンが終わるものとしている。
【００４１】
上述した４種類の接続ビットとして、「１００」を適用した場合では、Ｔmin＝３Ｔという条件が満たされなくなるので、この接続ビットは、使用されない。後の３個の接続ビットは、使用可能である。３個の接続ビットの内で実際に使用する接続ビットとして、ＤＳＶを減少させるものが選択される。ＤＳＶは、波形がハイレベルであれば＋１を与え、波形がローレベルであれば、−１を与えることで求められるものである。一例として、タイミングｔ0におけるＤＳＶが（−３）であると仮定する。
【００４２】
図１１Ｂは、接続ビットとして「０００」を使用した場合の波形を示す。期間（ｔ0−ｔ1）のＤＳＶが＋３であり、期間（ｔ1−ｔ2）のＤＳＶが＋２であるので、タイミングｔ2 におけるＤＳＶは、（−３＋３＋２＝＋２）となる。図１１Ｃは、接続ビットとして「０１０」を使用した場合の波形を示す。期間（ｔ0−ｔ1）のＤＳＶが−１であり、期間（ｔ1−ｔ2）のＤＳＶが−２であるので、タイミングｔ2 におけるＤＳＶは、（−３−１−２＝−６）となる。図１１Ｄは、接続ビットとして「００１」を使用した場合の波形を示す。期間（ｔ0−ｔ1）のＤＳＶが＋１であり、期間（ｔ1−ｔ2）のＤＳＶが−２であるので、タイミングｔ2 におけるＤＳＶは、（−３＋１−２＝−４）となる。結局、タイミングｔ2におけるＤＳＶが最も０に近くなる接続ビット「０００」が選択される。
【００４３】
接続ビット選択部は、ＥＦＭ変調器１２（図１参照）内に備えられている。上述したように、接続ビット選択部は、ＥＦＭ変調のランレングスリミット条件である、Ｔmin＝３、Ｔmax＝１１を満たす接続ビットを選択し、その中で、ＤＳＶを収束させるものを選択している。
【００４４】
この発明の一実施形態では、接続ビット選択部は、さらに、従来のＥＦＭ変調器によってはデータ読取にエラーを生じさせるほどＤＳＶが大きくなるような、特定のデータパターンの場合でも、ＤＳＶが大きくなることを防止するように接続ビットを選択可能とされている。
【００４５】
すなわち、接続ビット選択部では、再生時のデータ読み取りの際にエラーを生じさせるほどＤＳＶが大きくなった場合を検出し、ＥＦＭのランレングスリミットの条件を緩めるように、接続ビットを選択することができる。一例として、Ｔmin＝３、Ｔmax＝１１を、それぞれＴmin'＝２、Ｔmax'＝１２と緩やかにする。なお、この例はこれに限定されず、例えばランレングスリミット条件のＴminおよびＴmaxの一方を変更してもよく、また、Ｔmin'＝１、Ｔmax'＝１３とすることもできる。
【００４６】
また、この発明では、上述の、従来のＥＦＭ変調器によってはデータ読取にエラーを生じさせるほどＤＳＶが大きくなるような、特定のデータパターンを有する特殊データを、オーディオ信号としてレベルの低いデータに基づくデータパターンから選択する。
【００４７】
この発明に適用可能な特殊データの一例としては、「ＦＡＦＡｈ」があげられる。なお、「ｈ」は、その表記が１６進表記であることを示す。データ「ＦＡＦＡｈ」は、ＥＦＭ変調器１２において、１４ビットからなるコードシンボルに変換される。上述した図５〜図１０を参照すると、データ「ＦＡｈ」は、コードシンボル「１００１０００００１００１０」に変換される。このパターンが２回繰り返されデータ「ＦＡＦＡｈ」となった場合に挿入される接続ビットについて考える。
【００４８】
図１２は、特殊データとして「ＦＡＦＡｈ」を用いてＦＥＭした場合のＤＳＶと一部の波形を示す略線図である。図１２Ａに一例が示されるように、データ「ＦＡｈ」が変換されたコードシンボル「１００１０００００１００１０」に対して、３ビットの接続ビットが挿入される。このとき、上述のランレングスリミット条件であるＴmax＝１１、Ｔmin＝３に従えば、接続ビットは、「０００」しか選択できないことになる。すなわち、接続ビット「００１」、「０１０」および「１００」では、何れもＴmin＝３の条件を満たすことができない。
【００４９】
このように、データパターン「ＦＡＦＡｈ」では、接続ビットが「０００」に一意に固定される。これにより、接続ビットによるＤＳＶを収束させる制御ができなくなると共に、ＤＳＶが元のデータパターンにより決定される。
【００５０】
その結果、ＤＳＶは、図１２Ｂに示されるように、データシンボルおよび接続ビットの周期毎に（＋３−５＋３−６＝−５）ずつ増加し、ＤＳＶが発散する方向へ向かう。すなわち、ＤＳＶが１ＥＦＭフレームにつき例えば５０以上、増加し、このデータパターンが続く限り、ＤＳＶが増加し続けることになる。
【００５１】
また、このデータパターンが終了し、例えばオーディオデータによるランダムパターンになった場合、増加し続けていたＤＳＶを０に近付けるために、ＤＳＶを収束させるような接続ビットが選択される。その結果、ＤＳＶは、急激に減少される。
【００５２】
このように、この発明による特定のデータパターンが挿入された部分においてＤＳＶが一方的に増加され、当該部分の終了後、ＤＳＶを収束させ０に戻るように変化される。一般的に、ＣＤを再生する再生装置を用いて再生を行った場合、ＤＳＶの変化はアシンメトリ補正などに影響するが、上述の「ＦＡＦＡｈ」に基づくパターンが記録されたＣＤでは、元のデータが再生できないほどの影響が確認される。
【００５３】
すなわち、ＣＤのマスタリングを行う際には、特定のデータパターンを有する特殊データ「ＦＡＦＡｈ」を記録する位置において、ランレングスリミット条件を緩め、当該特定データパターンが繰り返された場合にＤＳＶが増加し続けることを抑制するような接続ビットが選択可能とされる。このようにして製作されたディスクは、一般のＣＤ再生装置での再生は、略通常通り行うことができる。
【００５４】
ここで、このように製作されたディスクを例えばＣＤ−Ｒを用いて複製しようとした場合について考える。一般的なＣＤ−Ｒ記録装置は、図１を用いて説明したような、所定の記録エリアにおいてランレングスリミット条件を緩めて接続ビットの選択を行うことが可能とされたＥＦＭ変調器１２、ＤＳＶ制御回路１３およびエリア制御回路１５を有していない。そのため、ＣＤ−Ｒ記録装置では、特定のデータパターン「ＦＡＦＡｈ」に対して接続ビット「０００」が一意に選択されてしまう。
【００５５】
したがって、こうして作成されたＣＤ−Ｒを一般のＣＤ再生装置で再生させると、ＤＳＶが増加し続け、再生動作が破綻する。すなわち、結果的に、この発明による特定のデータパターンを挿入されて製作されたディスクは、ＣＤ−ＲやＣＤ−ＲＷによる複製ができないことになる。
【００５６】
また、データ「ＦＡｈ」は、上位５ビットが「１」となり、リニアＰＣＭが２’コンプリメントで表現されることを考えると、オーディオ信号としてみた場合に最大レベルにはならない。そのため、特殊データ「ＦＡＦＡｈ」をオーディオ信号中にスポット的に挿入しても、再生音に対して殆ど影響を与えない。
【００５７】
この発明の一実施形態では、図１に示したように、ＤＳＶ制御部１３およびエリア制御部１５を有する。上述のような特定のデータパターンを構成する特殊データが入力端子８から入力される。ＤＳＶ制御回路１３からエリア制御回路１５に対して、特殊データをメインデータの所定位置に挿入するように指示が出され、この指示に基づきエリア制御回路１５によりスイッチ回路１６の切り換えのタイミングが制御される。
【００５８】
パターンが「ＦＡＦＡｈ」の特殊データは、スイッチ回路１６が入力端子８側に切り換えられている間、入力端子８から繰り返し入力される。入力された特殊パターンのデータは、ＣＩＲＣエンコーダ９によるエラー訂正用のパリティ付加されや、マルチプレクサ１１でのサブコードの重畳などを経て、ＥＦＭ変調器１２に供給される。
【００５９】
ＥＦＭ変調器１２では、ＤＳＶ制御部１３からの指示に基づき、ＥＦＭ変調器１２に供給された特殊データがＥＦＭされたデータシンボルに対して、ランレングスリミット条件を緩めて、ＤＳＶを収束できるような接続ビットが選択される。例えば、ランレングスリミット条件がＴmin'＝２Ｔ、Ｔmax'＝１２Ｔとする。これにより、接続ビットの選択の余地が生じ、ＤＳＶを収束させるような接続ビットを選択することが可能とされる。例えば、Ｔmin'＝２Ｔに基づき、「０１０」または「１００」を接続ビットとして選択可能である。
【００６０】
なお、ＤＳＶ制御回路１３の指示に基づくエリア制御回路１５の制御により、スイッチ回路１６がメインデータが入力される入力端子７側に切り換えられているときは、ＥＦＭ変調器１２によるランレングスリミット条件は、従来通り、Ｔmin＝３Ｔ、Ｔmax＝１１Ｔとされる。
【００６１】
上述では、挿入される特定のデータパターンを有する特殊データを「ＦＡＦＡｈ」として説明したが、これはこの例に限定されない。例えば、特定のデータパターンを有する特殊データとしてデータ「ＦＢＦＢｈ」や「ＦＡＦＢｈ」を用いても、データ「ＦＡＦＡｈ」の場合と同様の効果を得ることができる。
【００６２】
図１３を用いて、データパターン「ＦＢＦＢｈ」の場合について説明する。図１３は、特殊データとして「ＦＢＦＢｈ」を用いてＦＥＭした場合のＤＳＶと一部の波形を示す。データ「ＦＢｈ」は、上述した図５〜図１０を参照し、ＥＦＭによりコードシンボル「１０００１００００１００１０」に変換される。これが２回繰り返され「ＦＢＦＢｈ」となった場合に挿入される接続ビットについて考える。
【００６３】
図１３Ａに一例が示されるように、データ「ＦＢｈ」が変換されたコードシンボル「１００１０００００１００１０」に対して、３ビットの接続ビットが挿入される。このとき、上述のランレングスリミット条件であるＴmax＝１１、Ｔmin＝３に従えば、接続ビットは、「０００」しか選択できないことになる。すなわち、接続ビット「００１」、「０１０」および「１００」では、何れもＴmin＝３の条件を満たすことができない。
【００６４】
このように、データ「ＦＢＦＢｈ」では、接続ビットが「０００」に一意に固定され、接続ビットによるＤＳＶの制御ができなくなる。そのため、ＤＳＶが元のデータパターンにより決定される。その結果、ＤＳＶは、図１３Ｂに示されるように、データシンボルおよび接続ビットの周期毎に（＋４−５＋３−５＝−３）ずつ減少し、ＤＳＶが発散する方向へ向かう。
【００６５】
また、データ「ＦＢｈ」は、上述のデータ「ＦＡｈ」と同様に、オーディオ信号としてみた場合、上位５ビットが「１」となり、最大レベルにはならない。そのため、オーディオ信号中に特殊データ「ＦＢＦＢｈ」をスポット的に挿入した場合の再生音への影響が避けられる。
【００６６】
図１４を用いて、データ「ＦＡＦＢｈ」の場合について説明する。図１４は、特殊データとして「ＦＡＦＢｈ」を用いてＦＥＭした場合のＤＳＶと一部の波形を示す。データ「ＦＡｈ」および「ＦＢｈ」は、上述したように、ＥＦＭによりコードシンボル「１００１０００００１００１０」および「１０００１００００１００１０」にそれぞれ変換される。
【００６７】
図１４Ａに一例が示されるように、データ「ＦＡｈ」が変換されたコードシンボル「１００１０００００１００１０」とデータ「ＦＢｈ」が変換されたコードシンボル「１０００１００００１００１０」との間に、３ビットの接続ビットが挿入される。このとき、上述のランレングスリミット条件であるＴmax＝１１、Ｔmin＝３に従えば、接続ビットは、「０００」しか選択できないことになる。すなわち、接続ビット「００１」、「０１０」および「１００」では、何れもＴmin＝３の条件を満たすことができない。
【００６８】
同様にして、データ「ＦＢｈ」が変換されたコードシンボル「１０００１００００１００１０」とデータ「ＦＡｈ」が変換されたコードシンボル「１００１０００００１００１０」との間に挿入される接続ビットも、「０００」しか選択できない。接続ビット「００１」、「０１０」および「１００」では、何れもＴmin＝３の条件を満たすことができない。
【００６９】
このように、データパターン「ＦＡＦＢｈ」では、接続ビットが「０００」に一意に固定され、接続ビットによるＤＳＶの制御ができなくなる。そのため、ＤＳＶが元のデータパターンにより決定される。その結果、ＤＳＶは、図１４Ｂに示されるように、データシンボルおよび接続ビットの周期毎に、データ「ＦＡｈ」および「ＦＢｈ」に基づく接続の場合には（＋３−６＋３−５＝−５）、データ「ＦＢｈ」および「ＦＡｈ」に基づく接続の場合には（＋４−５＋３−５＝−３）ずつがそれぞれ減少し、ＤＳＶが発散する方向へ向かう。
【００７０】
なお、データおよび「ＦＡｈ」および「ＦＢｈ」は、上位５ビットが「１」となり、最大レベルにはならない。そのため、オーディオ信号中に特殊データ「ＦＡＦＢｈ」をスポット的に挿入した場合の再生音への影響が避けられる。
【００７１】
特定のデータパターンを有する特殊データとしては、上述のデータ「ＦＡｈ」およびデータ「ＦＢｈ」に限られず、例えばデータ「ＦＦ０１ｈ」を用いることができる。図１５を用いて、データパターンが「ＦＦ０１ｈ」の場合について説明する。図１５は、特殊データとして「ＦＦ０１ｈ」を用いてＦＥＭした場合のＤＳＶと一部の波形を示す。
【００７２】
データ「ＦＦｈ」および「０１ｈ」は、図５〜図１０を参照し、ＥＦＭによりコードシンボル「００１００００００１００１０」および「１００００１００００００００」にそれぞれ変換される。
【００７３】
図１５Ａに一例が示されるように、データ「ＦＦｈ」および「０１ｈ」の接続を考えたとき、データ「ＦＦｈ」が変換されたコードシンボル「００１００００００１００１０」とデータ「０１ｈ」が変換されたコードシンボル「１００００１００００００００」との間に挿入される接続ビットは、上述のランレングスリミット条件であるＴmax＝１１、Ｔmin＝３に従えば、Ｔminの制約に基づき「０００」が一意に選択される。このとき、接続ビットの先頭からデータ「０１ｈ」が変換されたコードシンボル「１００００１００００００００」終端までのＤＳＶは、図１５Ｂに示されるように、＋７となる。
【００７４】
また、データ「００ｈ」および「ＦＦｈ」の接続を考えると、それぞれが変換されたコードシンボルの間に挿入される接続ビットは、上述のランレングスリミット条件であるＴmax＝１１、Ｔmin＝３に従えば、Ｔmaxの制約に基づき、「０００」以外が選択可能である。このとき、図１５Ａおよび図１５Ｂから分かるように、選択された接続ビットの先頭からデータ「ＦＦｈ」が変換されたコードシンボル「００１００００００１００１０」終端までのＤＳＶは、接続ビットとして「１００」、「０１０」および「００１」を選択した場合、それぞれＤＳＶ＝＋１、ＤＳＶ＝＋３およびＤＳＶ＝＋５になる。そのため、ＤＳＶが最小になるようにすると、接続ビットとして「１００」が選択される。
【００７５】
したがって、データ「ＦＦ０１ｈ」のパターンが繰り返されると、ＤＳＶを最小にするように接続ビットとして「０００」および「１００」がそれぞれ選択され、ＤＳＶが＋８（＝＋１＋７）ずつ一方的に増加し、発散する方向に向かう。
【００７６】
なお、ＣＤに用いられるＰＣＭデータは、量子化数が１６ビットとされ、２バイトデータで構成される。また、上述もしたが、ＣＤにおいては、ＰＣＭデータが２’ｓコンプリメントで表現されており、上位ニブルが「０ｈ」または「Ｆｈ」でオーディオ信号としてレベルの低いデータとされる。データパターン「ＦＦ０１ｈ」は、２バイトデータで上位バイトが「ＦＦｈ」であり、２’コンプリメントにおいては、最大レベルにはならない。そのため、オーディオ信号中にスポット的に挿入した場合の再生音への影響が避けられる。
【００７７】
上述のデータ「ＦＡｈ」および「ＦＢｈ」によるデータパターン、ならびに、データパターン「ＦＦ０１ｈ」は、オーディオ信号（ＰＣＭデータ）として負の値を取るデータであるが、オーディオ信号として正の値を取るデータに対しても、この発明を適用することができる。図１６を用いて、データパターンが「００３０ｈ」の場合について説明する。図１６は、特殊データとして「００３０ｈ」を用いてＦＥＭした場合のＤＳＶと一部の波形を示す。
【００７８】
データ「００ｈ」および「３０ｈ」は、図５〜図１０を参照し、ＥＦＭによりコードシンボル「０１００１０００１０００００」および「０００１０００００１００００」にそれぞれ変換される。図１６Ａに一例が示されるように、データ「００ｈ」が変換されたコードシンボル「１００１０００００１００１０」とデータ「３０ｈ」が変換されたコードシンボル「０００１０００００１００００」との間に、３ビットの接続ビットが挿入される。
【００７９】
このとき、上述のランレングスリミット条件であるＴmax＝１１、Ｔmin＝３に従えば、接続ビットは、Ｔmaxの制約に基づき「０００」が選択できない。また、図１６Ａおよび図１６Ｂから分かるように、選択された接続ビットの先頭からデータ「３０ｈ」が変換されたコードシンボル「０００１０００００１００００」終端までのＤＳＶは、接続ビットとして「１００」、「０１０」および「００１」を選択した場合、それぞれＤＳＶ＝＋１、ＤＳＶ＝＋３およびＤＳＶ＝＋５になる。したがって、ＤＳＶが最小になるようにすると、接続ビットとして「１００」が選択される。
【００８０】
さらに、データパターン「００３０ｈ」において、データ「３０ｈ」の次にデータ「００ｈ」が配されるが、データ「３０ｈ」が変換されたコードシンボル「０００１０００００１００００」とデータ「００ｈ」が変換されたコードシンボル「１００１０００００１００１０」との間に挿入される接続ビットは、ランレングスリミット条件であるＴmax＝１１、Ｔmin＝３に従えば、「１００」および「０１０」の何れかとなる。また、選択された接続ビットの先頭からデータ「００ｈ」が変換されたコードシンボル「」終端までのＤＳＶは、接続ビットとして「１００」および「０１０」を選択した場合、それぞれＤＳＶ＝＋１およびＤＳＶ＝＋３となる。したがって、ＤＳＶが最小になるようにすると、接続ビットとして「１００」が選択される。
【００８１】
したがって、データ「００３０ｈ」のパターンが繰り返されると、ＤＳＶを最小にするように接続ビットとして常に「１００」が選択され、ＤＳＶが＋２（＝＋１＋１）ずつ一方的に増加し、発散する方向に向かう。
【００８２】
なお、ＣＤに用いられるＰＣＭデータは、量子化数が１６ビットとされ、２バイトデータで構成される。データ「００３０ｈ」は、２バイトデータで上位バイトが「００ｈ」であり、最大レベルにはならない。そのため、オーディオ信号中にスポット的に挿入した場合の再生音への影響が避けられる。
【００８３】
オーディオ信号として正の値であって、ＤＳＶが発散する方向へ向かう例は、上述のデータ「００３０ｈ」のパターンに限られない。例えば、データ「００９Ｅｈ」のパターンも、ＤＳＶが＋４ずつ増加し、発散する方向へ向かう。この場合、データ「００ｈ」とデータ「９Ｅｈ」との接続は、接続ビット「１００」が選択され、データ「９Ｅｈ」とデータ「００ｈ」との接続は、接続ビット「０００」が選択される。
【００８４】
この発明は、上述したこの発明の一実施形態等に限定されるものでは無く、この発明の要旨を逸脱しない範囲内で様々な変形や応用が可能である。例えばＥＦＭ以外の変調方式としてＥＦＭＰｌｕｓに対してもこの発明を適用することができる。ＥＦＭＰｌｕｓでは、８ビットのデータシンボルを１６ビットのコードシンボルに変換するもので、接続ビットを使用しないものである。ＥＦＭＰｌｕｓの場合でも、ＤＳＶが絶対値的に増加する特定のデータパターンが存在するので、標準のコード変換テーブルに変更を加えたエンコーダを使用することで、特定のデータパターンであっても、ＤＳＶの増加を防止することができる。それによって、この発明が適用されたエンコーダを使用して作成されたオリジナルのディスクか、従来のエンコーダを使用して作成されたコピーのディスクかを判別することが可能となる。
【００８５】
この発明は、例えばＣＤ−ＤＡのフォーマットのデータとＣＤ−ＲＯＭのフォーマットのデータをそれぞれ記録するマルチセッションの光ディスクに対しても適用できる。また、光ディスクに記録される情報としては、オーディオデータ、ビデオデータ、静止画像データ、文字データ、コンピュータグラフィックデータ、ゲームソフトウェア、およびコンピュータプログラム等の種々のデータが可能である。光ディスクに記録される情報がビデオデータや静止画像データである場合には、例えば、再生映像および／または画像においてより灰色に近い表示を行うデータを、特殊データとして用いることができる。したがって、この発明は、例えばＤＶＤビデオ、ＤＶＤ−ＲＯＭに対しても適用できる。さらに、円板状に限らずカード状のデータ記録媒体に対してもこの発明を適用できる。
【００８６】
【発明の効果】
以上説明したように、この発明は、記録媒体上の所定エリアのデータ列を、ディジタルオーディオ信号のレベルとして極めて低いデータを用い、通常のエンコーダではＤＳＶが所定範囲外となるような特定のパターンデータを、ＤＳＶを所定範囲内に制御できるようにされた特殊エンコーダを用いて記録媒体に記録するようにしている。そのため、特定のパターンデータが特殊エンコーダによってエンコードされて所定のエリアに記録された記録媒体は、通常の再生装置で再生した場合に、ＤＳＶが所定範囲外になってしまい、再生に不都合が生じるようになり、記録媒体のコピープロテクションを実現できるという効果がある。
【００８７】
また、通常のエンコーダではＤＳＶが所定範囲外になるような特定のパターンデータとして、ディジタルオーディオ信号のレベルとして極めて低いデータを用いているため、ＣＤの再生時における再生音の影響を極力避けて、記録媒体のコピープロテクションが実現できるという効果がある。
【図面の簡単な説明】
【図１】この発明によるデータ記録媒体を作成するためのマスタリング装置の構成の一例を示すブロック図である。
【図２】ＣＤの１ＥＦＭフレームのデータ構成を示す略線図である。
【図３】サブコード部のデータ構成を示す略線図である。
【図４】光ディスクを再生する再生装置の構成の一例を示すブロック図である。
【図５】ＥＦＭの変換テーブルを示す略線図である。
【図６】ＥＦＭの変換テーブルを示す略線図である。
【図７】ＥＦＭの変換テーブルを示す略線図である。
【図８】ＥＦＭの変換テーブルを示す略線図である。
【図９】ＥＦＭの変換テーブルを示す略線図である。
【図１０】ＥＦＭの変換テーブルを示す略線図である。
【図１１】接続ビットの選択方法を説明するための略線図である。
【図１２】特殊データとして「ＦＡＦＡｈ」を用いてＦＥＭした場合のＤＳＶと一部の波形を示す略線図である。
【図１３】特殊データとして「ＦＢＦＢｈ」を用いてＦＥＭした場合のＤＳＶと一部の波形を示す略線図である。
【図１４】特殊データとして「ＦＡＦＢｈ」を用いてＦＥＭした場合のＤＳＶと一部の波形を示す略線図である。
【図１５】特殊データとして「ＦＦ０１ｈ」を用いてＦＥＭした場合のＤＳＶと一部の波形を示す略線図である。
【図１６】特殊データとして「００３０ｈ」を用いてＦＥＭした場合のＤＳＶと一部の波形を示す略線図である。
【図１７】ディスクのコピーの流れを説明するためのブロック図である。
【図１８】従来の再生処理部の概略を示すブロック図である。
【図１９】従来の記録処理部の概略を示すブロック図である。
【符号の説明】
１・・・レーザ、３・・・光ピックアップ、４・・・ガラス原盤、１１・・・マルチプレクサ、１２・・・ＥＦＭ変調器、１３・・・ＤＳＶ制御回路、１５・・・エリア制御回路、１６・・・スイッチ回路
【図１】
0004141175.tif 000002
【図２】
0004141175.tif 000003
【図３】
0004141175.tif 000004
【図４】
0004141175.tif 000005
【図５】
0004141175.tif 000006
【図６】
0004141175.tif 000007
【図７】
0004141175.tif 000008
【図８】
0004141175.tif 000009
【図９】
0004141175.tif 000010
【図１０】
0004141175.tif 000011
【図１１】
0004141175.tif 000012
【図１２】
0004141175.tif 000013
【図１３】
0004141175.tif 000014
【図１４】
0004141175.tif 000015
【図１５】
0004141175.tif 000016
【図１６】
0004141175.tif 000017
【図１７】
0004141175.tif 000018
【図１８】
0004141175.tif 000019
【図１９】
0004141175.tif 000020